(57)【要約】【課題】  掃除機本体を大きく、重くすることなく、吸引力が強く使い勝手の良い電気掃除機を提供する【解決手段】  塵埃を含む空気を吸い込む本体吸気口と吸引力を発生する電動送風機とを有する掃除機本体と、前記本体吸気口と前記電動送風機との間に設けられる着脱自在な集塵装置と、前記集塵装置と前記電動送風機との間に設けられ、前記集塵装置の排気口からの排気が流入する上流開口と前記排気が吸入される前記電動送風機の吸気口とを結ぶ前記排気が流れる流路が形成されるダクトとを有し、前記ダクトの上流開口近傍にフィルタおよび前記フィルタを保持するフィルタ保持部材を有し、前記フィルタ保持部材は前記電動送風機の吸気口側に凸をなす形状とする。【選択図】図１２
2018175612.tif 000002
【特許請求の範囲】
【請求項１】
塵埃を含む空気を吸い込む本体吸気口と吸引力を発生する電動送風機とを有する掃除機本体と、前記本体吸気口と前記電動送風機との間に設けられる着脱自在な集塵装置と、
前記集塵装置と前記電動送風機との間に設けられ、前記集塵装置の排気口からの排気が流入する上流開口と前記排気が吸入される前記電動送風機の吸気口とを結ぶ前記排気が流れる流路が形成されるダクトとを有し、
前記ダクトの上流開口近傍にフィルタおよび前記フィルタを保持するフィルタ保持部材を有し、前記フィルタ保持部材は前記電動送風機の吸気口側に凸をなす形状としたことを特徴とする電気掃除機。
【請求項２】
前記ダクトの上流開口と前記集塵装置の排気口との気密を保つ弾性部材を、前記フィルタ保持部材の外周に配し、前記集塵装置の排気口と前記弾性部材の接点が略平面状に構成されることを特徴とする請求項１に記載の電気掃除機。
【請求項３】
前記フィルタは、前記フィルタ保持部材に略沿う立体的な形状に成形したことを特徴とする、請求項1または請求項２に記載の電気掃除機。
【発明の詳細な説明】
【技術分野】
【０００１】
本発明は電気掃除機に関する。
【背景技術】
【０００２】
サイクロン型の電気掃除機では、掃除機本体内に設けられる電動送風機により、掃除機本体に形成される吸気口から、塵埃を含む空気を吸込み、サイクロン分離装置を通過させて空気と塵埃を分離して塵埃を含む空気から塵埃を除去し、塵埃を除去した後の空気を電動送風機を介して、掃除機本体の外に排出している。
【０００３】
特開2015-89449（特許文献1）には、電動送風機の吸込側に連通し、サイクロン分離装置の排気口と気密に接続される吸気開口部を持つダクトを掃除機本体内に配置し、この吸気開口部には格子状のリブを配置し、吸気フィルタで覆われていることが記載されている。
【先行技術文献】
【特許文献】
【０００４】
【特許文献１】特開２０１５−８９４４９号公報
【発明の概要】
【発明が解決しようとする課題】
【０００５】
一般的に、吸気フィルタには通気損失があり、それにより電気掃除機の吸引力は低下する。また、吸気フィルタの通気損失はその面積に比例するため、より吸引力の強い電気掃除機を実現するには、吸気フィルタの面積を大きくする必要がある。
【０００６】
特許文献１によれば、掃除機本体も大きくなり、そのため質量も増し、使い勝手が悪化してしまう。
本発明は上記課題を解決するものであって、掃除機本体を大きく、重くすることなく、吸気フィルタの通気損失を低減し、吸引力が強く使い勝手の良い電気掃除機を提供することにある。
【課題を解決するための手段】
【０００７】
前記課題を解決するため、本発明の電気掃除機は、塵埃を含む空気を吸い込む本体吸気口と吸引力を発生する電動送風機とを有する掃除機本体と、前記本体吸気口と前記電動送風機との間に設けられる着脱自在な集塵装置と、前記集塵装置と前記電動送風機との間に設けられ、前記集塵装置の排気口からの排気が流入する上流開口と前記排気が吸入される前記電動送風機の吸気口とを結ぶ前記排気が流れる流路が形成されるダクトとを有し、前記ダクトの上流開口近傍にフィルタおよび前記フィルタを保持するフィルタ保持部材を有し、前記フィルタ保持部材は前記電動送風機の吸気口側に凸をなす形状とする。
【発明の効果】
【０００８】
本発明によれば、掃除機を大きく、重くすることなく、吸込力が強く使い勝手の良い電気掃除機を提供することができる。
【図面の簡単な説明】
【０００９】
【図１】本発明に係る実施形態の電気掃除機を示す外観斜視図。
【図２】掃除機本体から集塵装置や吸引ホースを取り外した状態を示す外観斜視図。
【図３】掃除機本体の上ケースを取り外した状態を示す斜視図。
【図４】掃除機本体を側方から見た掃除機本体を示す中央断面図。
【図５】集塵装置を示す正面図。
【図６】集塵装置を示す左側面図。
【図７】集塵装置を示す背面図。
【図８】集塵装置を示す分解図。
【図９】集塵装置を側方から見た中央断面図。
【図１０】フィルタケース上部を開き、捕塵フィルタを取り外した状態を示す外観図
【図１１】（ａ）は集塵装置を示す外観図、（ｂ）は（ａ）のフィルタケース上部を開いた状態を示す外観図。
【図１２】実施形態１のダクト入口部を示す分解斜視図。
【図１３】実施形態１のダクト入口部の断面拡大図。
【図１４】従来のダクト入口部を示す分解斜視図。
【図１５】実施形態２のダクト入口部を示す分解斜視図。
【図１６】実施形態３の保護フィルタを示す斜視図。
【発明を実施するための形態】
【００１０】
以下、本発明の実施形態について、適宜図面を参照しながら詳細に説明する。
【００１１】
図１に、本発明に係る実施形態の電気掃除機の外観斜視図を示し、図２に、掃除機本体１から集塵装置１０や吸引ホース２を取り外した状態の外観斜視図を示す。なお、上下方向、左右方向、前後方向については図１に示す方向とする。なお、左右方向は、掃除機本体１側から見たものである。
【００１２】
電気掃除機Ｓは、掃除機本体１と、掃除機本体１に着脱自在に設けられるサイクロン方式の集塵装置１０とを備えている。
【００１３】
掃除機本体１は、吸引ホース２を介して手元ハンドル３と接続され、手元ハンドル３は延長管６を介して、塵埃などを吸込む吸口体７と接続されている。集塵装置１０には、吸口体７から吸い込まれた塵埃などのごみが集塵される。
【００１４】
掃除機本体１には掃除機本体１を自在に移動するための左右の一対の車輪１５ａと、前部に一つのキャスタ１５ｂとが備えられている。なお、後部には、掃除機本体１を後ろ側に傾けた際にその後部を傷めないように、一つのローラ１５ｃが備わっている(図４参照)。
【００１５】
手元ハンドル３には、掃除機本体１に内蔵される電動送風機１４（図４参照）や、吸口体７に設けられる電動回転ブラシ（図示せず）などの駆動制御を担う操作部４を備えている。操作部４には、運転を開始する際、押下する（強・中・弱）ボタンや、運転を停止する際に押下する（切）ボタンなどの操作ボタン５が配置されている。
【００１６】
＜掃除機本体１＞
図２に示すように、掃除機本体１は、上ケース１ａと下ケース１ｂとが組み合わされ外殻が形成されている。上ケース１ａおよび下ケース１ｂは、軽量な樹脂材料で形成されている。下ケース１ｂの前部には、塵埃を含む空気が吸い込まれるホース取り付け口（本体吸気口）１１が開口されている。
【００１７】
図３に、掃除機本体１の上ケース１ａを取り外した状態の斜視図を示し、図４に、掃除機本体１を側方から見た掃除機本体１の中央断面図を示す。
【００１８】
ホース取り付け口１１は、掃除機本体１内の塵埃を含む空気が通過する導入管２０(図３、図４参照)に接続されている。
【００１９】
掃除機本体１の内部には、図４に示すように、モータケース１６内に、吸口体７(図１参照)での吸引力を発生する電動送風機１４が収納されている。また、電動送風機１４で吸引した塵埃を除去した後の空気の流路には排気を清浄化するプリーツ状の高捕塵フィルタ２９が配置されている。
【００２０】
図２に示す掃除機本体１の正面である前側には、ホース取り付け口１１を備え、掃除機本体１内の左側には、導入管２０を介して内部を気体が流通するように流体的に接続される導入管出口１２が備わっている。導入管出口１２は、掃除機本体１にセットされる集塵装置１０に気体が流通するように流体的に接続される。集塵装置１０は、吸口体７で吸込んだ塵埃などを含む空気から塵埃を分離し、塵埃を収容するものである。
集塵装置１０は、図２の矢印α１に示すように、掃除機本体１の前上部が後側に傾斜した状態で着脱自在に取り付けられる(図４参照)。集塵装置１０は、塵埃が外筒３０内に溜まった際に、図２に示す矢印α１と反対方向に移動させることで、掃除機本体１から取り外され、塵埃排出（ごみ捨て）後に矢印α１方向に移動させることで、掃除機本体１に取り付けられる。
【００２１】
掃除機本体１には、集塵装置１０を掃除機本体１に取り付けた際に容易に気密を保持できるように、集塵装置１０の位置決めのための構造や固定するための構造を備えている。
【００２２】
図２に示す掃除機本体１における凹状の取っ手収納部２２には、集塵装置１０の後方に備えている取っ手３５が収納される(図４参照)。これは、集塵装置１０を掃除機本体１にセットする際の集塵装置１０の位置決めのための構造となっている。
【００２３】
また、掃除機本体１における集塵装置１０の取り付け箇所の下部には、集塵装置１０の底蓋３１(図２参照)の底面との嵌合部１ａ１が設けられ、集塵装置１０の固定のための構造としている。そして、掃除機本体１の上部に設けた蓋体１９で、集塵装置１０の上部を固定する構成である。
【００２４】
＜掃除機本体１内に吸い込まれた塵埃を含む空気の流路＞
集塵装置１０が掃除機本体１に取り付けられた状態では、縦断面図の図４に示すように、ホース取り付け口１１から高捕塵フィルタ２９を介し排出口７６に至るまで、一連の流路となっている。
【００２５】
電気掃除機Ｓの掃除機本体１において、吸口体７から掃除機本体１に吸込まれた空気は図４に示す矢印β１〜β８のように流れる。
【００２６】
具体的には、吸口体７(図１参照)で吸い込まれた塵埃などを含む空気は、ホース取り付け口１１から掃除機本体１内の導入管２０に流入し(図４の矢印β１)、導入管２０内を通って導入管出口１２を通って集塵装置１０に至る(図４の矢印β２)。集塵装置１０内に入った塵埃などを含む空気は内筒４０の廻りを回る気流となる(図４の矢印β３)。この気流により発生する遠心力で空気と塵埃を分離し、空気は内筒４０内に吸い込まれ、一部の気流（図４の矢印β４）は集塵装置１０の下部へ流れる。塵埃は、この気流（図４の矢印β４）により、外筒３０内面に沿って落下し、集塵装置１０の下部に溜まる。
【００２７】
集塵装置１０の下部への気流（図４の矢印β４）は、円筒状の傘部４４の外周面に沿って上昇し(図４の矢印β５)、内筒４０内に吸い込まれる。内筒４０内には、後記するメッシュ部材４２ａを通過した遠心分離しきれなかった微細な塵埃を含む空気が流れ、集塵装置１０に設けた捕塵フィルタ３２で微細な塵埃が除去される。そして、塵埃が除去された空気は、ダクト２１を通過して、電動送風機１４に吸い込まれる(図４の矢印β６)。そして、電動送風機１４に吸い込まれた空気は、高捕塵フィルタ２９を通過して残留する異物などが除去され(図４の矢印β７)、掃除機本体１の後下部の排出口７６から外部に排出される(図４の矢印β８)。
【００２８】
ここで、高捕塵フィルタ２９は、捕塵フィルタ３２で捕集できなかった微細な塵埃や電動送風機１４のカーボンブラシ（図示せず）の摩耗屑を、塵埃除去後の空気から取り除き、ほぼ塵埃を含まないきれいな空気にして、掃除機本体１の外部へ排出する。
【００２９】
なお、詳細は省略するが、上述の掃除機本体１に吸い込まれた空気の流路付近の各部品の接続部（接触部）にはパッキング（図示せず）が設けられ、運転中の気密が保持されている。
【００３０】
＜集塵装置１０＞
次に、集塵装置１０について図５から図８を用いて説明する。図５に集塵装置１０の正面図を示し、図６に集塵装置１０の左側面図を示す。また、図７に集塵装置１０の背面図を示し、図８に集塵装置１０の分解図を示す。
【００３１】
集塵装置１０は、吸口体７で吸込んだ塵埃などを含む空気を、塵埃などのごみと空気とを分離し、塵埃などのごみを集める機能をもつ。
【００３２】
集塵装置１０は、概ね外筒３０、内筒４０、捕塵フィルタ３２(図４参照)を収納するフィルタケース３３、および底蓋３１で形成されている。外筒３０の上部にフィルタケース３３、下部に底蓋３１が配置されている。そして、外筒３０内に外筒３０と同心円状に内筒４０を備えている。
【００３３】
詳細は後記するが、集塵装置は、外筒３０と内筒４０との間に塵埃の分離・集塵のための空間を有している。つまり、外筒３０と内筒４０とで形成される空間のうち、上部に塵埃分離部１０Ａを備え、下部に塵埃集塵部１０Ｂを備える。
【００３４】
塵埃分離部１０Ａは、塵埃と該塵埃を運んだ空気とを分離する空間である。塵埃収容部  １０Ｂは、塵埃を集めて収容する空間である。
【００３５】
図６に示すように、外筒３０は、集塵装置１０を持ち運ぶための取っ手３５を備えている。取っ手３５の上部には、ごみを排出（廃棄）する際に押下するごみ捨てボタン３５ａを備えている。外筒３０の前方下側には、底蓋３１が回転自在に支持される回転軸３１ａを有している。
【００３６】
＜外筒３０＞
外筒３０は、図８に示すように、上下が開口した略円筒形状を有し、側面に導入管出口１２から塵埃を含む空気（気体）が流入される流入管３８を備えている。流入管３８の外側内面（図７では左側に位置する内面）は、外筒３０の内周面３０ｎと略接線方向で繋がるように形成されている。流入管３８には、導入管１２への接続部であり、導入管出口１２から塵埃を含む空気が流入される開口部３８ａが形成されている(図７参照)。また、流入管３８の開口部３８ａとの対面（流入管３８と外筒３０が接続する部分の開口）には絞り部３８ｂを備えており、開口部３８ａよりも開口面積を小さくしている。
【００３７】
流入管３８の絞り部３８ｂは、外筒３０の円弧形状に沿った絞り壁３０ｂによって形成されており、鉛直方向の第１の縦辺３８ｂ１と、鉛直方向から上部が外側に下部が内側に傾斜する第２の縦辺３８ｂ２と、水平方向の第１の横辺３８ｂ３と、第２の横辺３８ｂ４と、から形成される略台形形状の開口である。第１の縦辺３８ｂ１は、上述したように、外筒３０の内周面３０ｎの略接線方向に形成されている。開口部３８ａが外筒３０の内周面３０ｎの接線に沿った形状であることで、塵埃などを含んだ空気が外筒３０の内周面３０ｎに沿った旋回状の気流となる。
【００３８】
加えて、第２の縦辺３８ｂ２を上部が外側に下部が内側に傾斜する構成として、絞り部３８ｂを上部に比べて下部が広がった開口とすることで、塵埃収容部１０Ｂへ流れる風量を調整することができ、塵埃収容部１０Ｂに塵埃が堆積した場合でも、塵埃を圧縮し塵埃収容部１０Ｂに搬送できる。
【００３９】
絞り部３８ｂの形状により、導入管出口１２から集塵装置１０の外筒３０内に流入する空気は、外筒３０の中心軸Ｏ(集塵装置１０の中心軸)廻りの気流となり、中心軸Ｏを中心として時計廻りに外筒３０内を旋回する。この旋回する気流により、塵埃分離部１０Ａにおいて、空気に含まれる塵埃が遠心力によって分離される。
また、図６および図９に示すように、集塵装置１０には持ち運ぶための取っ手３５を備えている。取っ手３５の上部には、ごみを排出（廃棄）する際に押下するごみ捨てボタン３５ａを備えている。外筒３０の前方下側には、後述する底蓋３１が回動自在に支持される。取っ手３５には、ごみ捨てボタン３５ａを押下した際の力を後述するスライドクランプ８１に伝えるロッド８０を内蔵しており、ロッド８０およびスライドクランプ８１をスムーズに動作させるためには、取っ手３５を設ける外筒３０の側面は、段差や傾斜面でなく略垂直（略上下方向を向いた）面が良い。つまり、本実施形態のように、外筒３０を下方から見て開口部３８ａ側を略Ｄ字状（図示せず）にした位置に後述するクランプ機構を設けることで、ロッド８０が垂直方向に動作できるため、スライドクランプ８１をスムーズに動作させることができ、塵埃の排出をより容易に行なえる。
【００４０】
＜フィルタケース３３＞
外筒３０の上部に設けられるフィルタケース３３は、上面部が蓋構造となっており、フィルタケース上部（上蓋）３３ａとフィルタケース下部３３ｂとに分割される。フィルタケース下部３３ｂは外筒３０上部と一体に形成され、捕塵フィルタ３２(図８参照)を受けるフィルタ受け部３４が収納されている。また、詳細は後述するが、フィルタケース下部３３ｂとフィルタケース上部３３ａは上部ヒンジ機構７０により接続されている。
【００４１】
フィルタ受け部３４は、外筒３０に設けたフィルタケース下部３３ｂに全体が収まるようにフィルタケース下部３３ｂの内壁面をオフセットした形状(フィルタケース下部３３ｂの内壁面より縮径した形状)であり、フィルタケース下部３３ｂに爪部３４ｂにより固定される。フィルタ受け部３４は、底面にパッキン３４ａを備えており、フィルタケース下部３３ｂと気密を保持した状態となる。また、フィルタ受け部３４の上部はフランジ状のフィルタ当接部３４ｃを備えており、後述する捕塵フィルタ３２を装着した際、捕塵フィルタ３２の外周に備えた気密部と当接し、フィルタ受け部３４と捕塵フィルタ３２は気密を保持した状態となる。
【００４２】
図１０に集塵装置１０のフィルタケース上部３３ａを開き、捕塵フィルタ３２を取り外したときの外観図を示す。
【００４３】
＜捕塵フィルタ＞
捕塵フィルタ３２は、通気面積を拡大するためにプリーツ状（山折状）に折られており、円状の枠体に接着されている。前記したように、フィルタ受け部３４に捕塵フィルタ３２を装着すると、パッキン３２ａの下面側とフィルタ受け部３４に備えた捕塵フィルタ当接部３４ｃとが接し、パッキン３２ａの上面側は、フィルタケース上部３３ａの気密面３３ａ１と接する。こうして、フィルタケース上部３３ａとフィルタ受け部３４とが外部空間に対して気密に封止される。
【００４４】
図８に示すように、フィルタ受け部３４の略中心部は開口にしており、後記する内筒４０と流体的に連通している。
【００４５】
図１１にはフィルタケース上部３３ａを閉じた状態の集塵装置１０の外観図（図１１（ａ））、およびフィルタケース上部３３ａを開いた状態の集塵装置１０の外観図（図１１（ｂ））を示す。
【００４６】
先述したように、フィルタケース上部３３ａは、フィルタケース下部３３ｂと上部ヒンジ機構７０により接続されている。上部ヒンジ機構７０は、フィルタケース上部３３ａの後方に軸６１を備え、フィルタケース下部３３ｂの後方に備える軸穴（図示せず）にフィルタケース上部３３ａに備えた軸６１を挿入することで構成している。この軸穴と軸６１は、本実施形態とは逆の構成で、フィルタケース下部３３ｂに軸６１を設けても良い。また、フィルタケース下部３３ｂの前方にはロック機構３７を備えている。
ロック機構３７は、レール部３７ａおよびスライド部３７ｂで構成されており、スライド部３７ｂはレール部３７ａを覆うように装着されており左右にスライド可能である。フィルタケース上部３３ａは、軸６１回りに回動し、フィルタケース上部３３ａとフィルタケース下部３３ｂが嵌合した状態で、レール部３７ａとフィルタケース下部３３ｂの前方に設けた係止部３６が嵌合する。このとき、レール部３７ａと係止部３６を覆う方向にスライド部３７ｂをスライドさせることにより、フィルタケース上部３３ａは外筒３０と固定される。
【００４７】
図８に示すように、フィルタケース上部３３ａの外観面には、上面に集塵装置１０を持つための持ち手５５、前方に掃除機本体１と固定するためのクランプ部５０、及びクランプ部５０を駆動するボタン６０を備えている。フィルタケース上部３３ａの後方には、電動送風機１４と流体的に接続される開口部３９が設けられる。
【００４８】
図４に示すように、開口部３９は保護フィルタ２４及びフィルタ保持部材１３を介し、ダクト２１と接続される。フィルタ保持部材１３は、捕塵フィルタ３２と同様に外周部の前後面にゴム部材等で成型されたパッキンが設けられ、開口部３９とダクト２１との間の気密が保持されている。
【００４９】
フィルタケース上部３３ａの持ち手５５は、集塵装置１０を掃除機本体１に装着する際に、掃除機本体１に設けられる蓋体１９で覆われる。これは、掃除機本体１を持ち運ぶ際に、本体ハンドル１８(図１参照)ではなく、持ち手５５(図２参照)を持ち上げることを防止するためである。
【００５０】
＜蓋体１９＞
蓋体１９は、掃除機本体１上部に設けられる回転軸部に回転自在に支持され、該回転軸部に蓋体１９が開く方向に付勢されるねじりバネ（図示せず）を備えている。
【００５１】
蓋体１９は、図２の開いた状態（蓋体１９が直立した状態）から前方へ倒す際にねじりバネの弾性による捩り力が加わり、蓋体１９底面の前側に設けた爪部１９ａを、フィルタケース上部３３ａのクランプ部５０に係合して蓋体１９が閉じた状態となる。この際、蓋体１９にねじりバネが元の状態に戻ろうとする弾性力が加わり、その反作用として集塵装置１０を掃除機本体１側へ押し付けることができる。この構成により、集塵装置１０と掃除機本体１との気密保持と、集塵装置１０の掃除機本体１への固定とが両立されている。
【００５２】
蓋体１９を閉じた状態において、フィルタケース上部３３ａのボタン６０(図１参照)を押下すると、クランプ部５０が解除され、蓋体１９がねじりバネの弾性力で持ち上がり持ち手５５が現われる。持ち手５５が現われた状態で、ユーザが持ち手５５を引き上げることで集塵装置１０を掃除機本体１から容易に取り外すことができる(図２参照)。
【００５３】
換言すると、蓋体１９が開いた状態では、持ち手５５を引き上げることで集塵装置１０が掃除機本体１から外れる。このように、蓋体１９が閉じた状態では、持ち手５５で掃除機本体１を持ち上げられない構造となっており、掃除機本体１を持ち上げる場合と集塵装置１０を持ち上げる場合との誤動作の防止を図っている。
【００５４】
＜内筒４０＞
次に、内筒４０について説明する。
【００５５】
図６に示すように、内筒４０は略円筒状であり、前記したように、外筒３０と同心状となるように集塵装置１０に設けられている。
【００５６】
内筒４０は、上部に設けられる吸気部４２を有する上部円筒４１と、下部に設けられる傘部４４とを含み構成されている。
【００５７】
＜上部円筒４１＞
図６に示すように、上部円筒４１の吸気部４２は、格子状の枠体（支骨）によって形成されている。本実施形態では上下方向の枠体（支骨）としているが、上下左右方向に枠体（支骨）のある格子状でも構わない。吸気部４２は、外周面に亘ってメッシュ部材４２ａが掛け渡されている。メッシュ部材４２ａは被覆またはインサート成型などによって枠体（支骨）に保持されている。吸気部４２にメッシュ部材４２ａを設けることで、上部円筒４１はフィルタ機能を有し、内筒４０内部への微細な塵埃の流入を抑制している。
【００５８】
＜傘部４４＞
図９に示すように、 内筒４０の下部には、傘部４４を備えている。傘部４４は、上部円筒４１と同心状に一体に略円筒状に設けられ、先述したように、上面には上部円筒４１の下面部に備える凸部を内包するように凹部４６を備えている。また、凹部４６は、断面で見ると傘部４４内に凸状の略円錐形状を形成し、上部から底面４６ｔに向かって先細りになるようなテーパ形状を有した筒体で、傘部４４と同心状に備えている。筒体（凹部４６）の底面４６ｔは閉塞され略半球状に形成されている。本実施形態においては、筒体４６の底面４６ｔに約φ３．５ｍｍの孔を設けており、集塵装置を水洗いした際の水抜き孔の役割をしている。筒体（凹部４６）を先細りになるテーパ形状にすることで、外筒３０下部の先太りのテーパ部と合わせて下向きに拡大する空間を有する容器形状となるため、ごみ捨ての際にごみが落下しやすくなる。
【００５９】
＜底蓋３１＞
図９に示すように、底蓋３１は、中央部が下方に突出した深さをもった皿状に形成され、中央部に突出した部分の反対側に凹みとなる窪み部３１ｂを有している。底蓋３１は皿状にすることで構造体に曲率をもたせて強度を向上させている。また、底蓋３１の窪み部３１ｂは、筒体４６の底面４６ｔの球形状の球半径(曲率)よりも大きくしており、窪み部３１ｂの深さは、底蓋３１が開状態（外筒３０の底面に対して垂直状態となる開状態）で窪み部３１ｂに水平になる面ができないようにしている。換言すると、窪み部３１ｂの深さは極力浅くしている。これは、ごみ排出の際に窪み部３１ｂに塵埃が残らないようにするためである。
【００６０】
また、本実施形態では、窪み部３１ｂを底蓋３１とは別体で形成しており、底蓋３１の開閉での筒体４６との摩擦による部材の磨耗を低減するようにＰＯＭ(polyoxymethylene：ポリアセタール)などの材料を用いているが、底蓋３１と一体で成形しても構わない。
【００６１】
底蓋３１は、外周に回転軸３１ａを有し、回転軸３１ａと対向する位置にクランプ受け３１ｄを備えている。回転軸３１ａは、下部ヒンジ機構７１のヒンジカバー７５と回転自在に装着される。下部ヒンジ機構７１は、底蓋３１に備える回転軸３１ａをヒンジカバー７５に装着し、ヒンジカバー７５を外筒３０の前方下側に設けたヒンジカバー固定部３０ｆにネジ等により固定する構造となっている。底蓋３１は回転軸３１ａにねじりバネを備えることで、底蓋３１が開いた状態に付勢している。
【００６２】
＜コードリール２３と導入管２０＞
図４に示す電動送風機１４を収納するモータケース１６は、図３に示すように、掃除機本体１右側後方に配置され、左側後方にはコンセント等から電動送風機１４などへ電力を供給するための電源コード２３ａを収納するためのコードリール２３が配置されている。本実施形態では、モータケース１６およびコードリール２３の配置の関係上、導入管２０および導入管出口１２を左側に配置しているがこの限りではなく、右側に配置しても構わない。
【００６３】
導入管２０を掃除機本体１の中央ではなく、左右の側部どちらかに寄せて配置するのは、詳細は後記するが集塵装置１０の外筒３０の内周面の接線方向(掃除機本体１の左右の側部何れかに位置する)から、吸込んだ空気を流入させることにより旋回流を発生させ易くするためである。したがって、導入管２０の配置により旋回流の回転方向は異なるが、回転方向は時計廻りまたは反時計廻りのどちらでも構わない。例えば、導入管２０を左側に配置した場合は時計回りの旋回流となる。本実施形態では、導入管２０を左側に配置し、時計回りの旋回流としている。
【００６４】
なお、例えば、導入管を左側（若しくは中央）に配置し、導入管出口が右側になるような曲がり部の多い導入管の形状にしても構わないが、圧力損失が増加する。そのため、導入管２０は、図３に示すような配置とし、導入管２０での圧力損失の増加を極力抑えるため、ホース取り付け口１１から可能な限り大きな半径で導入管出口１２と繋がるような形状としている。また、導入管２０内の容積や断面積も、圧力損失の増加を極力抑えるために可能な限り大きく形成している。
【００６５】
＜ダクト入口部＞
掃除機本体１の正面上部には、電動送風機１４と連通するダクト２１(図３参照)の入り口近傍にダクト入口部１７が備わっている。ダクト２１の入り口（ダクト２１における集塵部材側の開口（上流開口））は、集塵装置１０で塵埃を除去した後の空気が吸い込まれる開口部である。
【００６６】
図１２に、本実施例におけるダクト入口部１７付近の分解斜視図、図１３には図４におけるダクト入口部１７付近の拡大図を示す。
【００６７】
ダクト入口部１７は、電動送風機１４への異物の侵入を抑制するための保護フィルタ２４と、保護フィルタ２４を保持する格子状のフィルタ保持部材１３、及び、フィルタ保持部材１３の外周枠１３ａに取り付けられ、ダクト２１の上流開口２１ａとフィルタケース３３の開口部３９の端部３９ａとの間の気密を保持するゴム製のパッキン２５からなる。
【００６８】
フィルタ保持部材１３の格子は、平面状下格子部１３ｂ１、平面状後格子部１３ｂ２、右隔壁部１３ｂ３、左隔壁部１３ｂ４からなり、パッキン２５よりも電動送風機１４の吸気口１６ｓ側に凸をなす立体的な形状となっている。
【００６９】
保護フィルタ２４は図１２に示すように、薄板状のろ材を平面状下格子部１３ｂ１と平面状後格子部１３ｂ２を合わせた形状に切り抜き、折り曲げてフィルタ保持部材１３に取り付けることで容易にフィルタ保持部材１３の平面状下格子部１３ｂ１と平面状後格子部１３ｂ２に沿った立体的な形状とすることができる。
【００７０】
本実施例では、図１３に示すように角度θ1＝３０度、θ2＝６０度としている。
【００７１】
図１４にはパッキン２５の形状は同じ、すなわちフィルタ保持部材１３の外周枠の形状は同じで格子部がパッキン２５よりも電動送風機の吸気口１６ｓ側に凸をなしていない従来の形状を示す。この場合の保護フィルタの面積に対し、本実施例の構成にすることで、保護フィルタの面積を約３５％拡大することができ、通気損失が２Ｗ低減する。
【００７２】
従って、フィルタ保持部材の格子をパッキン２５よりも電動送風機の吸気口１６ｓ側に凸をなす立体的な形状とすることで、パッキン２５の形状は同一、その結果、掃除機本体を大きく、重くすることなく通気損失を低減し、吸引力を高めることが出来る。
【００７３】
また、パッキン２５とフィルタケース３３の開口部３９の端部３９ａの接点は略平面状になる形状としている。このため、集塵装置１０を掃除機本体１に取り付けた際、取り付け位置がずれても気密の確保がしやすく、安定して高い吸引力を実現できる。
【００７４】
図１５に実施形態２におけるダクト入口部１７付近の分解斜視図を示す。本実施例によるフィルタ保持部材の格子は、平面状右格子部１３ｂ５、平面状左格子部１３ｂ６、上隔壁部１３ｂ７、下隔壁部１３ｂ８からなり、パッキン２５よりも電動送風機の吸気口１６ｓ側に凸をなす立体的な形状となっている。
【００７５】
保護フィルタ２４は図１５に示すように、薄板状のろ材を平面状右格子部１３ｂ５と平面状左格子部１３ｂ６を合わせた形状に切り抜き、折り曲げてフィルタ保持部材１３に取付ることで容易にフィルタ保持部材１３の平面状右格子部１３ｂ５と平面状左格子部１３ｂ６に沿った立体的な形状とすることができる。
【００７６】
なお、前記の実施形態1および２におけるフィルタ保持部材の格子は、複数の平面状格子を組み合わせて、パッキン２５よりも電動送風機の吸気口１６ｓ側に凸をなす立体的な形状としているが、組合せる平面状格子の数を制限するものではなく、また、曲面状の格子で構成してもよい。
【００７７】
図１６に実施形態３における保護フィルタの斜視図を示す。電動送風機の吸気口１６ｓ側に凸をなす立体的な形状としたフィルタ保持部材に、略沿う立体的な形状に成形する。
フィルタ保持部材に取り付ける際、折り曲げる手間がなく、保護フィルタの取付が容易で、吸引力が強い電気掃除機を実現できる。
【００７８】
なお、フィルタ保持部材の格子をパッキン２５よりもフィルタケース開口部側に突出させた形状にしても保護フィルタの面積を増やすことはできるが、その場合、集塵部の着脱の際に保護フィルタにフィルタケース開口部が接触し、保護フィルタが脱落してしまい、異物が電動送風機に侵入してしまい電動送風機が破損する恐れがあるため、電動送風機の吸気口側に突出した立体的な形状とするのがよい。
【００７９】
なお、本発明は前記した実施形態に限定されるものでなく、様々な実施形態が含まれる。例えば、上記した実施形態は本発明を分り易く説明したものであり、必ずしも説明した全ての構成を備えるものに限定されるものではない。例えば、説明した構成の一部を含むものであっても良い。
【符号の説明】
【００８０】
１  掃除機本体、１ａ  上ケース、１ｂ  下ケース、１０  集塵装置、１０Ａ  塵埃分離部、１０Ｂ  塵埃収容部、１１  ホース取り付け口（本体吸気口）、１２  導入管出口、１３  ダクト入口部、１４  電動送風機、１７  フィルタカバー、１９  蓋体、２０  導入管、２１  ダクト、３０  外筒、３０ｂ  絞り壁、３０ｃ  リブ（整流部）、３０ｄ  拡大部（段差）、３０ｄ２  角部、３０ｅ  凹凸、３０ｆ  ヒンジカバー固定部、３０ｇ  突起部、３０ｈ  溝、３０ｎ  内周面、３０ｎ１  下部内周面、３１  底蓋、３１ａ  回転軸、３１ｂ  窪み部、３１ｃ  底面リブ、３１ｄ  クランプ受け、３２  捕塵フィルタ、３２ａ  パッキング、３３  フィルタケース、３３ａ  フィルタケース上部（上蓋）、３３ａ１  気密面、３３ｂ  フィルタケース下部、３３ｂ２  切欠部、３３ｂ３  後部リブ、３４  フィルタ受け部、３４ｂ  固定リブ、３５  取っ手、３６  係止部、３７  ロック機構、３７ａ  レール部、３７ｂ  スライド部、３８  流入管、３８ａ  開口部、３８ｂ  絞り部、３８ｂ１  第1の縦辺、３８ｂ２  第２の縦辺、３８ｂ３  第1の横辺、３８ｂ４  第２の横辺、３９  開口部、４０  内筒、４０ａ  フランジ部、４１  上部内筒（枠体）、４２  吸気部、４４  傘部、４４ａ  外周面、４４ａ１  第１円環状リブ、４４ｂ  底面、４４ｃ  上面、４４ｋ  空間、４５  内傘部、４５ａ  内傘上部、４５ａ１  上面、４５ｂ  内傘下部、４５ｂ１  第２円環状リブ、４６  筒体、４６ｔ  底面、４８ｃ１  スリット、４８ｊ  バネ軸、４９  ストッパ、５０  クランプ部、５５  持ち手、６０  ボタン、６１  軸、６２  押さえリブ、７０  上部ヒンジ機構、７１  下部ヒンジ機構、７５  ヒンジカバー、７６  排出口、８０  ロッド、８０ｂ  バネ、８１  スライドクランプ、８３  爪部、β１〜β８  空気の流れ、γ１〜γ９  空気の流れ、δ１〜δ３  塵埃の動き、Ｏ  中心軸、Ｓ  電気掃除機、ｎ１  ネジ
【図１】
2018175612.tif 000003
【図２】
2018175612.tif 000004
【図３】
2018175612.tif 000005
【図４】
2018175612.tif 000006
【図５】
2018175612.tif 000007
【図６】
2018175612.tif 000008
【図７】
2018175612.tif 000009
【図８】
2018175612.tif 000010
【図９】
2018175612.tif 000011
【図１０】
2018175612.tif 000012
【図１１】
2018175612.tif 000013
【図１２】
2018175612.tif 000014
【図１３】
2018175612.tif 000015
【図１４】
2018175612.tif 000016
【図１５】
2018175612.tif 000017
【図１６】
2018175612.tif 000018